【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
加圧下で流体をカプセル内に供給することによって物質を抽出及び／又は溶解することによって飲用可能な飲料を調製するための該物質を容れるカプセルであって、該カプセルは、カプセル本体中心軸を有するアルミニウムカプセル本体を備え、該アルミニウムカプセル本体は、底と、側壁と、外向きに延在しているフランジとを備え、該カプセルはさらに、該外向きに延在しているフランジに取り付けられたアルミニウム蓋を備え、該蓋は該カプセルを密閉的に閉じ、該カプセルはさらに、該飲料調製装置の囲み部材に流体封止接触を与えるために、該外向きに延在しているフランジに封止部材を備え、該カプセルが飲料調製装置の囲み部材内に置かれ、かつ該囲み部材が該飲料調製装置の閉じ部材、例えば該飲料調製装置の抽出プレート、によって閉じられる場合に、該カプセルの該外向きに延在しているフランジと該カプセルの該封止部材の少なくとも１部分とが、該飲料調製装置の該囲み部材と該閉じ部材との間で封止的に係合し、該飲料調製装置の該囲み部材は、環状要素中心軸と自由接触端部とを有する環状要素を備え、該環状要素の該自由接触端部は、半径方向に延在する複数の開放溝を任意的に備えてもよい、上記カプセルにおいて、該封止部材は、該外向きに延在しているフランジと一体になっており、該外向きに延在しているフランジから突出している少なくとも１つの突出部を備え、前記少なくとも１つの突出部は、突出部頂部を含み、該カプセルが該飲料調製装置の該囲み部材内に置かれ、かつ該囲み部材が該飲料調製装置の該閉じ部材によって閉じられる場合に、該少なくとも１つの突出部は、その突出部頂部が該環状要素の該自由接触端部に半径方向の力を加えるように構成されており、
該封止部材はさらに、該外向きに延在しているフランジから突出しているさらなる突出部と、前記２つの突出部の間のプラトー部とを備え、該２つの突出部の間の距離は、該カプセルが該囲み部材内に置かれかつ該囲み部材が該閉じ部材によって閉じられる場合に、該環状要素の該自由接触端部が該２つの突出部の間に置かれるような距離であり、
該プラトー部は、該蓋から軸方向に間隔を空けて配設されており、
該封止部材は、該突出部のうちの内側突出部と該側壁との間に環状のトラフを備え、該環状のトラフは、該蓋が取り付けられているベース部分から軸方向に間隔を空けて配設された底を有しており、
該環状のトラフの該底は、該蓋から第１の軸方向の距離にあり、該プラトー部は、該蓋から第２の軸方向の距離にあり、前記第２の軸方向の距離は、前記第１の軸方向の距離よりも大きく、
該封止構造と該カプセル本体の残部とは、同じ板材で作られている、上記カプセル。
【請求項２】
該２つの突出部のうちの第１の突出部は、該蓋が取り付けられているところの、該外向きに延在しているフランジのベース部分から、該２つの突出部のうちの第２の突出部よりもさらに突出している、請求項１に記載のカプセル。
【請求項３】
該２つの突出部のうちの該第１の突出部は、該２つの突出部のうちの半径方向内側の突出部である、請求項２に記載のカプセル。
【請求項４】
使用中、該囲み部材を閉じることが、該環状のトラフを該蓋に実質的に接触させるように該側壁を変形させるように、該封止部材は変形可能である、請求項１〜３の何れか１項に記載のカプセル。
【請求項５】
前記２つの突出部のうちの該内側突出部は、該プラトー部が該蓋に接触するように該封止部材が変形される場合に、それが曲げられて開けられるように形状決めされている、請求項１〜４のいずれか1項に記載のカプセル。
【請求項６】
前記２つの突出部のうちの半径方向外側突出部は、前記２つの突出部のうちの該内側突出部よりも、半径方向外向きの変形に対して大きい剛性を有している、請求項１〜５の何れか１項に記載のカプセル。
【請求項７】
該２つの突出部のうちの第１の突出部は、２９．２〜２９．８ｍｍの直径において、該カプセル軸線の周りに延在する最上端部を有しており、該２つの突出部のうちの第２の突出部は、３１．９〜３２．４ｍｍの直径において、該カプセル軸線の周りに延在する最上端部を有している、請求項１〜６の何れか１項に記載のカプセル。
【請求項８】
前記２つの突出部のうちの外側突出部は、該カプセル本体軸線に対して８°未満、好ましくは６°未満または４°未満の包囲角度で延在する、略内向きに向く表面部分を有する、請求項１〜７の何れか１項に記載のカプセル。
【請求項９】
該２つの突出部の間の該距離は、該カプセルが該囲み部材の中に置かれかつ該囲み部材が該閉じ部材によって閉じられる場合に、該環状要素の該自由接触端部が該２つの突出部によって接触されるような距離である、請求項１〜８の何れか１項に記載のカプセル。
【請求項１０】
間隔を空けて配設された該２つの突出部および該プラトー部は、該カプセルが該囲み部材の中に置かれかつ該囲み部材が該閉じ部材によって閉じられる場合に、該環状要素の該自由接触端部が該プラトー部によって接触されるように配設されている、請求項１〜９の何れか１項に記載のカプセル。
【請求項１１】
該カプセルは、該カプセルが該囲み部材の中に置かれかつ該囲み部材が該閉じ部材によって閉じられる場合に、該囲み部材のための支持部を備え、前記支持部は、該環状要素の該自由接触端部の少なくとも１部分を包囲し、前記支持部は、該２つの突出部およびそれらの間の該プラトー部によって形成されている、請求項１〜１０の何れか１項に記載のカプセル。
【請求項１２】
該カプセル本体軸線を通る平面に沿った断面で見たときに、該プラトー部は、前記２つの突出部のうちの該外側突出部への移行部を形成する傾斜したセクションを有しており、該傾斜したセクションは、より湾曲したセクション同士の間で比較的真っ直ぐなセクションを構成している、請求項１〜１１の何れか１項に記載のカプセル。
【請求項１３】
該傾斜したセクションは、該蓋に対して少なくとも１０°、より好ましくは少なくとも２０°、最大で６０°、より好ましくは最大で５０°の包囲角度で配向されている、請求項１２に記載のカプセル。
【請求項１４】
該プラトー部は、実質的に平坦である、請求項１〜１１の何れか１項に記載のカプセル。
【請求項１５】
該プラトー部は、湾曲した部分を備え、
該プラトー部は、好ましくはＶ字形状になっている、請求項１〜１１の何れか１項に記載のカプセル。
【請求項１６】
前記２つの突出部のうちの外側突出部は、軸方向に圧縮される場合に、該２つの突出部の間に置かれている該環状要素の自由端部の外向きに向く表面に接触しながら、半径方向外向きにロールおよびバックルするように形状決めされている、請求項１〜１５の何れか１項に記載のカプセル。
【請求項１７】
前記２つの突出部のうちの該外側突出部から、該蓋が取り付けられている該ベース部分の半径方向外向きに突出しているフランジへの移行部は、０．１５ｍｍ未満、好ましくは０．１２ｍｍ未満の内部半径を有しており、前記２つの突出部のうちの前記外側突出部の半径方向外側の壁は、該カプセル本体軸線に対して、８°未満、より好ましくは６°未満の包囲角度で配向されている、請求項１〜１６の何れか１項に記載のカプセル。
【請求項１８】
該少なくとも１つの突出部は、突出部側壁を含み、突出部側壁は、該アルミニウムカプセル本体の該外向きに延在しているフランジに対して傾斜しており、前記突出部側壁は、該カプセルが該飲料調製装置の該囲み部材内に置かれかつ該囲み部材が該飲料調製装置の該閉じ部材によって閉じられる場合に、それが容易に変形されるように構成されている、請求項１〜１７の何れか１項に記載のカプセル。
【請求項１９】
カプセル内に加圧下で供給された流体を用いて該カプセルから飲用可能な飲料を調製するためのシステムであって、
該カプセルを受け取るための囲み部材を備える飲料調製装置であって、該囲み部材は、加圧下の流体を該カプセル内に供給するための流体注入手段を備え、該飲料調製装置はさらに、該飲料調製装置の該囲み部材を閉じるための閉じ部材、例えば抽出プレートを備え、該飲料調製装置の該囲み部材はさらに、環状要素中心軸および自由接触端部を有する環状要素を備え、該環状要素の前記自由接触端部は半径方向に延在している複数の開放溝を任意的に備えていてもよい、上記飲料調製装置と、
請求項１〜１８の何れか１項に記載のカプセルと
を備える、システム。
【請求項２０】
該環状要素の前記自由接触端部は、該カプセルが該囲み部材内に置かれかつ該囲み部材が該閉じ部材によって閉じられる場合に、前記第１の突出部に接触する第１の円周方向の表面部分と、該カプセルが該囲み部材内に置かれかつ該囲み部材が該閉じ部材によって閉じられる場合に、前記第２の突出部に接触する第２の円周方向の表面部分と、を有しており、前記半径方向に延在する開放溝は、前記第２の表面部分の中においてよりも、前記第１の表面部分の中において、より深くなっており、または、前記半径方向に延在する開放溝は、前記第２の表面部分の中にはない、請求項１９に記載のシステム。
【請求項２１】
該カプセルは、請求項１〜２０の何れか１項に記載のカプセルであり、該囲み部材および／または該閉じ部材が、中間にある該封止部材と共に、他方に向けて移動させられるときに、該環状要素の該自由接触端部が、該２つの突出部のうちの該第１の突出部に最初に接触し、その後に、該２つの突出部のうちの該第２の突出部に接触しうるように、該囲み部材および該突出部は配設されている、請求項１９または２０に記載のシステム。
【請求項２２】
該カプセルは、請求項１２または１３に記載のカプセルであり、該環状要素は、該傾斜したセクションの変形のために配設されている、請求項１９〜２１の何れか１項に記載のシステム。
【請求項２３】
該環状要素は、外側隆起部および内側隆起部を有しており、前記２つの突出部のうちの該外側突出部は、該封止部材が該囲み部材と該閉じ部材との間でクランプされる場合に、前記外側隆起部と内側隆起部との間で変形されるように配設されている、請求項１９〜２２の何れか１項に記載のシステム。
【請求項２４】
カプセルを受け取るための囲み部材を備える飲料調製装置における、請求項１〜１８の何れか１項に記載のカプセルの使用方法であって、該囲み部材は、加圧下の流体を該カプセル内に供給するための流体注入手段を備え、該飲料調製装置はさらに、該飲料調製装置の該囲み部材を閉じるための閉じ部材、例えば抽出プレートを備え、該飲料調製装置の該囲み部材はさらに、環状要素中心軸および自由接触端部を有する環状要素を備え、該環状要素の前記自由接触端部は、任意的に複数の半径方向の溝を備えており、該カプセルは、該飲料調製装置の該流体注入手段により加圧下で該カプセル内に供給された流体によって物質を抽出及び／又は溶解することにより飲用可能な飲料を調製するための該物質を容れ、該カプセルは、カプセル本体中心軸を有するアルミニウムカプセル本体を備え、該アルミニウムカプセル本体は、底と、側壁と、外向きに延在しているフランジとを備え、該カプセルはさらに、該外向きに延在しているフランジに取り付けられたアルミニウム蓋を備え、該蓋は該カプセルを密閉的に閉じる、ここで、該カプセルが該飲料調製装置の囲み部材内に置かれ、かつ該囲み部材が該飲料調製装置の該閉じることによって閉じられる場合に、該飲料調製装置の該囲み部材と流体封止接触を与えるために、該カプセルはさらに該外向きに延在するフランジと一体の封止部材を備え、従って、該カプセルの該外向きに延在しているフランジと該カプセルの該封止部材の少なくとも１部分とが、該飲料調製装置の該囲み部材と該閉じ部材との間で封止的に係合される、
上記使用方法。
【請求項２５】
該カプセルは、請求項１〜１７の何れか１項に記載のカプセルであり、該囲み部材および／または該閉じ部材が、中間にある該カプセルの該封止部材と共に、他方に向けて移動させられるときに、該環状要素の該自由接触端部が、該２つの突出部のうちの該第１の突出部に最初に接触し、その後に、該２つの突出部のうちの該第２の突出部に接触しえる、請求項２４に記載の使用方法。
【請求項２６】
該カプセルは、請求項１〜１７の何れか１項に記載のカプセルであり、該環状要素は、該２つの突出部のうちの外側突出部を外向きに付勢する、請求項２４〜２５の何れか１項に記載の使用方法。
【請求項２７】
該カプセルは、請求項１〜１７の何れか１項に記載のカプセルであり、該プラトー部は、該蓋から軸方向に間隔を空けて配設されており、該突出部の間の該プラトー部は、該囲み部材が閉じられるときに、該環状要素によって変位され、該突出部が該環状要素の該自由端部に対して内向きに傾けられてロールオフするように促す、請求項２４〜２６の何れか１項に記載の使用方法。
【請求項２８】
該カプセルは、請求項１〜５の何れか１項に記載のカプセルであり、該環状のトラフの該底は、該環状要素によって該蓋に対して押される、請求項２４〜２７の何れか１項に記載の使用方法。
【請求項２９】
該カプセルは請求項１６または１７に記載のカプセルであり、該環状要素は、外側隆起部と内側隆起部との間に１つまたは複数のブリッジを有しており、該ブリッジまたはそれぞれのブリッジは、該外側隆起部と内側隆起部との間に環状スペースの中断を構成しており、前記２つの突出部のうちの該外側突出部は、それが該ブリッジによって圧縮された場合に、半径方向外向きにロールおよびバックルする、請求項２４〜２８の何れか１項に記載の使用方法。